(57)【特許請求の範囲】
【請求項１】
弾性素材を用いて略Ｕ字状に形成された把持部と、把持部の両先端辺に設けた継手連結回動部に回動可能に連結した継手部と、継手部の先端辺に設けた挟持片補強板連結回動部に回動可能に連結した挟持片補強板と、挟持片補強板の適所に先端方向へ順に設けられた、挟持片取付部及び挟持片取付突起と、挟持片取付接合部に、挟持片取付部に係合する取付穴と、挟持片取付突起に係合する突起嵌入孔を設け、挟持片補強板に着脱自在にされた挟持片と、を備えたことを特徴とする折り畳みトング。  
【発明の詳細な説明】
【技術分野】
【０００１】
本発明は、従来の一体型トングと構造が異なり分割した構成品からなるトングで、それぞれの構成品を互いに連結具で結合しているので各部で曲げることが出来る他に、折り畳んだり、先端部を取り外して異なる形状の先端部に交換できるようにしたトングに関するものである。
【背景技術】
【０００２】
従来のトングは、一体構造で、反発力のある素材を利用してものを挟む。形はＶ字形であるが、ものを挟むとＵ字形となり直線的になる。先端部は、目的物をはさむのに適した形状、たとえばスプーン、フォークなどの形からなる。
【発明の概要】
【発明が解決しようとする課題】
【０００３】
トングとは、物を掴む道具であるが、屋外でゴミを掴むのは金属ばさみ、炭を掴む火ばさみ、料理を掴む料理用トングなど、掴む対象によって様々な名前が付されている。いずれも、基本構造はＶ字形の形状で、掴む物によって先端部の形が異なっている。トングは手元の把持部の操作で先端部を開閉するため把持部から先端まで一体構造となっている。トングは、直線的であるため物を掴み適宜の場所に放す動作には、手首の上下左右の折り曲げや、姿勢の変化も必要で、子供や上肢に障害のある人は使いにくい。また、比較的長尺物であるため収納に不便である。特に料理用トングは、食器棚に収納するには長くまた、構造上Ｖ字形に広がってしまい場所を取ってしまう。また、掴む物によって先端の形状がフォーク形、スプーン形など異なるため、多種のトングを収納するには食器棚の容積が不足することになる。
本発明は、これらの問題点を解決する為になされたものである。
【課題を解決するための手段】
【０００４】
主に把持部、継手部、挟持片補強板、及び挟持片から構成されるトングにおいて、弾性のある金属や合成樹脂等の素材を用いて略Ｕ字状の把持部を形成し、把持部の両先端辺に設けた継手連結回動部に継手部を連結し、継手部の先端辺に設けた挟持片補強板連結回動部に挟持片補強板を連結し、挟持片補強板の適所に、先端方向へ順に挟持片取付部、挟持片取付突起を設け、この挟持片取付部、挟持片取付突起に符号する形で挟持片の挟持片取付接合部に取付穴および突起嵌入孔を設け、挟持片はこのような符号的な形で挟持片補強板に取り付けられ、用途に応じて用意された例えばａ・ｂ・ｃ・ｄ等各挟持片は、いずれも同様に自由に交換して取り付けることができ、全体として形成されたトングは、継手連結回動部と挟持片補強板連結回動部を介して、自由に折り曲げられ、コンパクトに折り畳むことが出来る。以上を特徴とする折り畳みトングである。
【発明の効果】
【０００５】
本発明品は、従来品の一体型でなく分割可能型であり、各部の構成品を連結可動部において折り曲げることが出来る。図５は、折り畳んだ本発明品を表したものである。このため、収納が容易となり食器棚の引き出しにも楽に入り従来品のようなスペースが不要となる。また、小さいトングではズボンのポケットに入り、キャンプなど野外での持ち運びも容易となる。
【０００６】
トングが連結構造になっているため、それぞれの各部を連結可動部において自由に折り曲げ、固定することが出来る。これによって、掴む対象物に応じた形状のトングが出来る。また、子供や上肢に障害のある人は、個々の体型、障害に応じて折り曲げ自分専用のトングを作ることが出来る。
【０００７】
本発明は、掴む対象物の用途に応じて挟持片を交換することが出来る。このため図４に示すような各種の形状の挟持片を交換すれば、一つの本体で多種類のトングを使うことも出来るし、フォークとスプーンという異種部品の組み合わせも出来て経済的である。また収納も本体と各種の挟持片だけで済むので従来のトング収納のような容積が不要となる。
【０００８】
また、トングの構成部分はそれぞれ連結具で固定しているので、連結具を固定する際  に、挟持片補強板を一致させないで少しずらして連結具を固定することで、挟持片の形  状のかみ合わせを変えることが出来る。フォーク形ではフォークの歯を互いに一致させ  る、また交互にかみ合わせるなどで料理を確実に掴み取ることが出来る。
【０００９】
また、トングの構成部分は、連結具で結合しているので、分解して洗うことが出来る  。料理に直接接触する挟持片を本体から外して、挟持片だけを洗剤で洗い、本体は水拭  きすることも出来る。
【図面の簡単な説明】
【００１０】
【図１】本発明の平面図
【図２】本発明の側面図
【図３】本発明の一部である挟持片補強板の拡大斜視図
【図４】本発明の一部である各種挟持片の実施例を示すイメージ図
【図５】本発明の折り畳み時の平面図
【図６】本発明のパワーショベル型折り曲げ使用の実施例を示す側面図
【図７】本発明のブルドーザ型折り曲げ使用の実施例を示す側面図
【図８】本発明の反転ブルドーザ型折り曲げ使用の実施例を示す側面図
【発明を実施するための形態】
【００１１】
以下、本発明の実施の形態について説明する。
主に把持部１、継手部２、挟持片補強板３、及び挟持片４から構成されるトングにおいて、弾性のある金属や合成樹脂等の素材を用いて略Ｕ字状の把持部１を形成し、把持部１の両先端辺に設けた継手連結回動部５に継手部２を連結し、継手部２の先端辺に設けた挟持片補強板連結回動部１４に挟持片補強板３を連結し、挟持片補強板３の適所に、先端方向へ順に挟持片取付部６、挟持片取付突起７を設け、この挟持片取付部６、挟持片取付突起７に符号する形で挟持片４の挟持片取付接合部１１に取付穴１２および突起嵌入孔１３を設け、挟持片４はこのような符号的な形で挟持片補強板３に取り付けられ、用途に応じて用意された例えばａ・ｂ・ｃ・ｄ等各挟持片８は、いずれも同様に自由に交換して取り付けることができ、全体として形成されたトングは、継手連結回動部５と挟持片補強板連結回動部１４を介して、自由に折り曲げられ、コンパクトに折り畳むことが出来る。以上を特徴とする折り畳みトングである。
本発明は以上のような構成で、これを使用する時は、図５に示す折り畳んだトングの状態から把持部１を持ち、継手部２および挟持片補強板３の角度をそれぞれ調節して、用途に適合した形を作り継手部２の継手連結回動部５、挟持片補強板３の挟持片補強板連結回動部１４をそれぞれ締め付け固定する。次に挟持片４一組を選択して、挟持片４の突起嵌入孔１３に挟持片取付突起７に差し込み、もう一方の取付穴１２をボルト９に差し込み、挟持片取付部６で締め付け挟持片取付接合部１１を固定する。折り畳む時は、この逆順となる。
【実施例】
【００１２】
本発明品は、一体型であるトングを分割して構成しそれぞれを連結しているので、各部で折り曲げることが出来る。折り曲げの基本的な型は、図６および図７で示すようにパワーショベル型とブルドーザ型である。なお図８のブルドーザ型は、折り曲げ方は同一であるが、反転したものである。本発明品の図面では、継手部２の数は１個であるが、２個以上使用すれば、さらに複雑なトングの形を作ることができる。
【００１３】
挟持片４の形状は、掴む対象物によって様々である。図４に示すようにフォーク形、ス  プーン形などがある。材質は、金属の他に合成樹脂、竹、硬質の紙など使用出来る。挟 持片４を使い捨て出来る素材、紙、竹、合成樹脂などを用いれば、使用の都度洗うこと  なく捨てることが出来る。清掃用のトング、汚物用トング、魚釣り用のえさ掴みトング  などに多用出来る。
【００１４】
料理用トングでは、バイキング料理によく見られるように、お皿の中にトングを置く
ことが多く、トングの皿内への落ち込みで握り部位と料理との接触が発生する。多数
の人によって握られたトングと食品との接触は不衛生であり、また料理の汁で汚れたト  ングは困りものである。このためか最近では、トング置き用のトレーを大皿の近く
に設けるようになった。図６に示すようなパワーショベル型に折り曲げたトングでは、  
挟持片４が大皿の中で本体が料理台にあることで、落ち込みが無くなり清潔に保たれる  。図７、また図８に示すブルドーザ型を使用した場合には、挟持片４が上に向くためテ  ーブルにそのまま置くことが出来る。これで、トング置き用のトレーが要らなくなる。  
【００１５】
図６に示すようなパワーショベル型に折り曲げたトングでは、手首を曲げずに垂直に料理を持ち上げることが出来る。目線よりも上に持ち上げれば料理の形、量が認識出来
るので、取り皿に正確に置くことが出来る。目線の低い小児また、上肢に障害のある人でも、本発明品を使用するとお皿の外にこぼすなどの失敗がなくなる。なお本発明品
は、折り曲げが自由に出来るので、障害に応じて折り曲げ角度を調整して、自分専用のトングを作ることが出来る。
【００１６】
図７、図８に示すブルドーザ型に折り曲げたトングは、目線の下のものを掴むパワーショベル型と異なり、壁面等目線先から上部にあるものを掴むのに適している。ピンセットを使用する感覚で、壁面にあるものを正確に掴むことや、取り外しなどの操作が出来ます。精密機械用工具としても利用できる。
【００１７】
本発明品を清掃用具の金属ばさみに応用すれば、折り畳んで小さくなるので運搬、保管が容易となる。また自由に角度が取れるので挟持片４を地面に直角に合わせるように角度調節すれば、子供からお年寄りまで身長に適合した金属ばさみとなり、作業効率が上がる。挟持片４を竹等使い捨て部品にすれば、使用後の水洗いなどの手間も不要となり、市町村での一斉清掃やペット、家庭での汚物処理に利用できる。
【００１８】
本発明品は、各構成品が継手連結回動部５、挟持片補強板連結回動部１４で固定しているので取り外しが出来、定期的に各部を分解して洗浄して清潔性を保つことが出来る。
【符号の説明】
【００１９】
１  把持部
２  継手部
３  挟持片補強板 
４  挟持片
５  継手連結回動部
６  挟持片取付部
７  挟持片取付突起
８  ａ，ｂ，ｃ，ｄ等各種挟持片
９  ボルト
１０  ナット
１１  挟持片取付接合部
１２  取付穴
１３  突起嵌入孔
１４  挟持片補強板連結回動部
【図６】
0005466682.tif 000002
【図７】
0005466682.tif 000003
【図８】
0005466682.tif 000004
【図１】
0005466682.tif 000005
【図２】
0005466682.tif 000006
【図３】
0005466682.tif 000007
【図４】
0005466682.tif 000008
【図５】
0005466682.tif 000009